(57)【要約】【課題】ＰＣの電源オフに連動してディスプレイの電源をオフすることができる情報処理装置、電源管理システム、電源管理プログラム、および電源管理方法を提供する。【解決手段】ユーザがＰＣ１の電源をオンすると、制御部１２は、サービスプログラムに基づいてディスプレイ２に電源オン制御信号を送信する。ディスプレイ２の制御部２３は、この制御信号を受信すると、電源ユニット２７の電源をオンする。また、ユーザがＰＣ１の電源をオフ（ＯＳをシャットダウン指示）すると、制御部１２は、サービスプログラムに基づいてディスプレイ２に電源オフ制御信号を送信する。ディスプレイ２の制御部２３は、この制御信号を受信すると、電源ユニット２７の電源をオフする。【選択図】図１
2007233954.tif 000002
【特許請求の範囲】
【請求項１】
表示装置を含む周辺機器が接続される情報処理装置であって、
該情報処理装置の電源オフ処理の開始を検出する検出手段と、
前記検出手段が電源オフ処理の開始を検出したとき、前記周辺機器に電源オフを指示する制御情報を送信する制御情報送信手段と、
を備えたことを特徴とする情報処理装置。
【請求項２】
前記検出手段は、該情報処理装置の起動に伴って起動し、前記制御情報送信手段に対して起動情報を出力し、
前記制御情報送信手段は、前記検出手段から起動情報が入力されたとき、前記周辺機器に電源オンを指示する制御情報を送信する請求項１に記載の情報処理装置。
【請求項３】
情報処理装置と、該情報処理装置に接続される表示装置を含む周辺機器と、からなる電源管理システムであって、
前記情報処理装置は、該情報処理装置の電源オフ処理の開始を検出する検出手段と、
前記検出手段が電源オフ処理の開始を検出したとき、前記周辺機器に電源オフを指示する制御情報を送信する制御情報送信手段と、
を備え、
前記周辺機器は、
前記制御情報を受信する制御情報受信手段と、
前記制御情報受信手段が受信した電源オフを指示する制御情報に基づいて、該周辺機器の電源オフ処理を行う制御手段と、
を備えたことを特徴とする電源管理システム。
【請求項４】
前記情報処理装置の検出手段は、該情報処理装置の起動に伴って起動し、前記制御情報送信手段に対して起動情報を出力し、
前記制御情報送信手段は、前記検出手段から起動情報が入力されたとき、前記周辺機器に電源オンを指示する制御情報を送信し、
前記周辺機器の制御手段は、前記制御情報受信手段が受信した電源オンの制御情報に基づいて、該周辺機器の電源オン処理を行う請求項３に記載の電源管理システム。
【請求項５】
管理用情報処理装置と、ネットワークを介して管理用情報処理装置に接続される複数の情報処理装置と、各情報処理装置に接続され、表示装置を含む複数の周辺機器と、からなる電源管理システムであって、
前記管理用情報処理装置は、各情報処理装置に電源オフを指示する情報を送信するネットワーク送信手段を備え、
前記情報処理装置は、前記電源オフを指示する情報を受信する受信手段と、
該情報処理装置の起動管理を行う管理手段であって、前記受信手段が受信した前記電源オフを指示する情報に基づいて、該情報処理装置の電源オフ処理を行う管理手段と、
該情報処理装置の電源オフ処理の開始を検出する検出手段と、
前記検出手段が電源オフ処理の開始を検出したとき、該情報処理装置に接続されている前記周辺機器に電源オフを指示する制御情報を送信する制御情報送信手段と、
を備え、
前記周辺機器は、
前記制御情報を受信する制御情報受信手段と、
前記制御情報受信手段が受信した電源オフを指示する制御情報に基づいて、該周辺機器の電源オフ処理を行う制御手段と、
を備えたことを特徴とする電源管理システム。
【請求項６】
前記管理用情報処理装置の送信手段は、各情報処理装置に電源オンを指示する情報を送信し、
前記情報処理装置の受信手段は、前記電源オンを指示する情報を受信し、電源オンを指示する情報に基づいて前記管理手段を起動させ、
前記検出手段は、該情報処理装置の起動に伴って起動し、前記制御情報送信手段に対して起動情報を出力し、
前記制御情報送信手段は、前記検出手段から起動情報が入力されたとき、前記周辺機器に電源オンの制御情報を送信し、
前記周辺機器の制御手段は、前記制御情報受信手段が受信した電源オンの制御情報に基づいて、該周辺機器の電源オン処理を行う請求項５に記載の電源管理システム。
【請求項７】
情報処理装置に、
該情報処理装置の電源オフ処理の開始を検出する電源オフ検出手順と、
前記電源オフ検出手順において電源オフ処理の開始を検出したとき、該情報処理装置に接続される周辺機器に電源オフを指示する制御情報を送信する電源オフ制御情報送信手順と、
を実行させる電源管理プログラム。
【請求項８】
該情報処理装置の起動処理の開始を検出する起動検出手順と、
前記起動処理の開始に伴い、該情報処理装置に接続される周辺機器に電源オンを指示する制御情報を送信する電源オン制御情報送信手順と、
をさらに実行させる請求項７に記載の電源管理プログラム。
【請求項９】
情報処理装置に接続される表示装置を含む周辺機器の電源管理を行う電源管理方法であって、
前記情報処理装置が、該情報処理装置の電源オフ処理の開始を検出し、
電源オフ処理の開始を検出したとき、前記周辺機器に電源オフを指示する制御情報を送信し、
前記周辺機器が、前記制御情報を受信し、
受信した電源オフを指示する制御情報に基づいて、該周辺機器の電源オフ処理を行う電源管理方法。
【請求項１０】
前記情報処理装置が、該情報処理装置の起動に伴って前記周辺機器に電源オンの制御情報を送信し、
前記周辺機器が、受信した電源オンの制御情報に基づいて、該周辺機器の電源オン処理を行う請求項９に記載の電源管理方法。
【請求項１１】
ネットワークを介して管理用情報処理装置に接続される複数の情報処理装置にそれぞれ接続される表示装置を含む周辺機器の電源管理を行う電源管理方法であって、
前記管理用情報処理装置が、各情報処理装置に電源オフを指示する情報を送信し、
前記情報処理装置が、前記電源オフを指示する情報を受信し、
受信した前記電源オフを指示する情報に基づいて、該情報処理装置の電源オフ処理を行い、
該情報処理装置の電源オフ処理の開始を検出し、
前記電源オフ処理の開始を検出したとき、該情報処理装置に接続されている前記周辺機器に電源オフを指示する制御情報を送信し、
前記周辺機器が、前記制御情報を受信し、
受信した電源オフを指示する制御情報に基づいて、該周辺機器の電源オフ処理を行う電源管理方法。
【請求項１２】
前記管理用情報処理装置が、各情報処理装置に電源オンを指示する情報を送信し、
前記情報処理装置が、前記電源オンを指示する情報を受信し、
受信した電源オンを指示する情報に基づいて該情報処理装置の起動管理を行う管理手段を起動させ、
該情報処理装置の起動に伴って前記周辺機器に電源オンの制御情報を送信し、
前記周辺機器が、受信した電源オンの制御情報に基づいて、該周辺機器の電源オン処理を行う請求項１１に記載の電源管理方法。
【発明の詳細な説明】
【技術分野】
【０００１】
本発明は表示装置等の周辺機器に接続される情報処理装置、周辺機器と情報処理装置とからなる電源管理システム、電源管理プログラム、および電源管理方法に関する。
【背景技術】
【０００２】
パーソナルコンピュータ（以下、ＰＣと言う）等の情報処理装置に使用される一般的なディスプレイは、前面に輝度やコントラストを調整するボタン、電源をオン／オフするボタン等が設けられている。利用者は、これらを手動で操作して輝度やコントラストを調整したり、電源をオン／オフする。
【０００３】
また、上記の操作を容易にするために、表示画面に表示設定に関するメニューをオーバレイ表示させるＯＳＤ機能を有したディスプレイが普及している。ＯＳＤ機能を有したディスプレイでは、特許文献１に記載されているように、ディスプレイ前面の操作ボタンが操作されると、その操作指示がディスプレイに内蔵された制御回路に供給される。制御回路は、表示画面にオーバレイ表示されるメニューに操作指示を反映し、利用者から指示があれば表示設定も変更する。
【０００４】
しかし、ディスプレイ前面に設けられたボタンを用いて表示設定の変更、電源オン／オフを行うことは、ＯＳＤ表示されていても操作性が悪く、利用者にとって煩わしいものであった。そこで、ＰＣからディスプレイに対し、表示設定の変更を指示することができるアプリケーション（例えば、非特許文献１参照）が提案されている。
【０００５】
一方、近年、環境保護の観点からディスプレイの消費電力の低減化が必要とされている。このため、一般的なディスプレイは、一定時間情報処理装置から映像信号の入力がされなければバックライトをオフして無駄な消費電力を抑えることがなされている。また、上記非特許文献１のアプリケーションを用いてバックライトをオフすることも行われている。
【特許文献１】特開平７−３３４１１２号公報
【非特許文献１】“画質を最適化DisplayManager”、[online]、株式会社アイ・オー・データ機器、[平成１８年２月１６日検索]、インターネット〈ＵＲＬ：http://www.iodata.jp/promo/lcd/displaymanager.html〉
【発明の開示】
【発明が解決しようとする課題】
【０００６】
しかし、バックライトをオフした状態であっても、ディスプレイの制御回路には電力が供給されており、待機電力が消費されている。この場合、利用者が手動で電源ボタンを操作して電源をオフする必要があった。手動で電源をオフすればさらに消費電力が抑えられる。学校や企業等においては、同一のディスプレイを多数同時に使用することがあり（パーソナルコンピュータ操作の授業など）、このような場合においては、生徒全員が電源ボタンを操作して電源オフするとは限らず、管理者が全ディスプレイの電源を手動でオフする必要があった。
【０００７】
また、非特許文献１のアプリケーションを用いれば、全ディスプレイのバックライトを一括してオフすることも可能であるが、無論バックライトをオフしても待機電力が消費されており、依然として管理者が全ディスプレイの電源を手動でオフする必要があった。全ディスプレイを集中して１つの電源タップに接続し、この電源タップの電源供給をオフすれば、一括で全ディスプレイの電源オフすることも可能であるが、設置が煩わしい、専用の電源タップが必要、等の問題が有った。
【０００８】
また、非特許文献１のアプリケーションを用いる場合、全てのＰＣにおいてＯＳ（OperatingSystem）が利用可能状態（ログオン状態）で、かつ全てのＰＣにおいて上記アプリケーションが起動していなければならなかった。
【０００９】
本発明は、多数同時に使用するディスプレイの電源を一括してオフすることが可能であり、ＰＣの電源オフに連動してディスプレイの電源をオフすることができる情報処理装置、電源管理システム、電源管理プログラム、および電源管理方法を提供することを目的とする。
【課題を解決するための手段】
【００１０】
請求項１に記載の発明は、表示装置を含む周辺機器が接続される情報処理装置であって、該情報処理装置の電源オフ処理の開始を検出する検出手段と、前記検出手段が電源オフ処理の開始を検出したとき、前記周辺機器に電源オフを指示する制御情報を送信する制御情報送信手段と、を備えたことを特徴とする。
【００１１】
この発明では、情報処理装置（例えばＰＣ）が自身の電源オフ処理を検出する。電源オフ処理を検出した場合、接続されている周辺機器（例えばディスプレイ）に電源オフ制御情報を送信する。すなわち、ＰＣのプログラムがＯＳシャットダウンを検出し、このプログラムが電源オフ制御情報を送信する。この情報は汎用映像信号ケーブルを介して送信してもよいし、ＵＳＢや専用の接続線を介して送信してもよい。汎用映像信号ケーブルを介して送信される場合、ＶＥＳＡ（Ｖｉｄｅｏ  Ｅｌｅｃｔｒｏｎｉｃｓ  Ｓｔａｎｄａｒｄｓ  Ａｓｓｏｃｉａｔｉｏｎ）で定められた規格であるＤＤＣ／ＣＩ（Ｄｉｓｐｌａｙ  Ｄａｔａ  Ｃｈａｎｎｅｌ  Ｃｏｍｍａｎｄ  Ｉｎｔｅｒｆａｃｅ）によりコントロールコマンドとして送信すればよい。これにより、ＰＣ電源オフに連動してディスプレイの電源がオフされる。なお、ディスプレイ側に特別なハードウェアは必要なく、ディスプレイの制御回路が上記電源オフ制御情報を受信したときに、自身の電源をオフする動作を行うファームウェアを内蔵していればよい。
【００１２】
請求項２に記載の発明は、上記発明において、前記検出手段は、該情報処理装置の起動に伴って起動し、前記制御情報送信手段に対して起動情報を出力し、前記制御情報送信手段は、前記検出手段から起動情報が入力されたとき、前記周辺機器に電源オンを指示する制御情報を送信することを特徴とする。
【００１３】
この発明では、ＰＣが自身の電源オン処理（ＯＳ起動）を検出する。電源オン処理を検出した場合、接続されているディスプレイに電源オン制御情報を送信する。この情報も汎用映像信号ケーブルを介して送信してもよいし、ＵＳＢや専用の接続線を介して送信してもよい。これにより、ＰＣ電源オンに連動してディスプレイの電源がオンされる。
【００１４】
請求項３に記載の発明は、情報処理装置と、情報処理装置に接続される表示装置を含む周辺機器と、からなる電源管理システムであって、前記情報処理装置は、該情報処理装置の電源オフ処理の開始を検出する検出手段と、前記検出手段が電源オフ処理の開始を検出したとき、前記周辺機器に電源オフを指示する制御情報を送信する制御情報送信手段と、を備え、前記周辺機器は、前記制御情報を受信する制御情報受信手段と、前記制御情報受信手段が受信した電源オフを指示する制御情報に基づいて、該周辺機器の電源オフ処理を行う制御手段と、を備えたことを特徴とする。
【００１５】
請求項４に記載の発明は、前記情報処理装置の検出手段は、該情報処理装置の起動に伴って起動し、前記制御情報送信手段に対して起動情報を出力し、前記制御情報送信手段は、前記検出手段から起動情報が入力されたとき、前記周辺機器に電源オンを指示する制御情報を送信し、前記周辺機器の制御手段は、前記制御情報受信手段が受信した電源オンの制御情報に基づいて、該周辺機器の電源オン処理を行うことを特徴とする。
【００１６】
請求項５に記載の発明は、管理用情報処理装置と、ネットワークを介して管理用情報処理装置に接続される複数の情報処理装置と、各情報処理装置に接続され、表示装置を含む複数の周辺機器と、からなる電源管理システムであって、前記管理用情報処理装置は、各情報処理装置に電源オフを指示する情報を送信するネットワーク送信手段を備え、前記情報処理装置は、前記電源オフを指示する情報を受信する受信手段と、該情報処理装置の起動管理を行う管理手段であって、前記受信手段が受信した前記電源オフを指示する情報に基づいて、該情報処理装置の電源オフ処理を行う管理手段と、該情報処理装置の電源オフ処理の開始を検出する検出手段と、前記検出手段が電源オフ処理の開始を検出したとき、該情報処理装置に接続されている前記周辺機器に電源オフを指示する制御情報を送信する制御情報送信手段と、を備え、前記周辺機器は、前記制御情報を受信する制御情報受信手段と、前記制御情報受信手段が受信した電源オフを指示する制御情報に基づいて、該周辺機器の電源オフ処理を行う制御手段と、を備えたことを特徴とする。
【００１７】
この発明では、管理用ＰＣが、ネットワーク接続される各ＰＣに電源オフ指示情報を送信する。この情報はＴＣＰ／ＩＰにより送信される。電源オフ指示情報を受信した各ＰＣは、これに基づいて自身の電源オフ処理を開始する。各ＰＣは、自身の電源オフ処理を検出する。電源オフ処理を検出した場合、接続されているディスプレイに電源オフ制御情報を送信する。すなわち、電源オフ指示のパケットを受信した場合、ＯＳがシャットダウン（電源オフ処理）を行い、ＰＣのプログラムがＯＳシャットダウンを検出し、このプログラムが電源オフ制御情報を送信する。この情報は汎用映像信号ケーブルを介して送信してもよいし、ＵＳＢや専用の接続線を介して送信してもよい。ディスプレイは、電源オフ制御情報を受信すると自身の電源をオフする。これにより、管理者（管理用ＰＣのユーザ）は、多数同時に使用するディスプレイの電源を一括してオフすることが可能である。
【００１８】
請求項６に記載の発明は、上記発明において、前記管理用情報処理装置の送信手段は、各情報処理装置に電源オンを指示する情報を送信し、前記情報処理装置の受信手段は、前記電源オンを指示する情報を受信し、電源オンを指示する情報に基づいて前記管理手段を起動させ、前記検出手段は、該情報処理装置の起動に伴って起動し、前記制御情報送信手段に対して起動情報を出力し、前記制御情報送信手段は、前記検出手段から起動情報が入力されたとき、前記周辺機器に電源オンの制御情報を送信し、前記周辺機器の制御手段は、前記制御情報受信手段が受信した電源オンの制御情報に基づいて、該周辺機器の電源オン処理を行うことを特徴とする。
【００１９】
この発明では、管理用ＰＣが、ネットワーク接続される各ＰＣに電源オン指示情報を送信する。この情報もＴＣＰ／ＩＰにより送信される。電源オン指示情報を受信した各ＰＣは、これに基づいて自身の電源をオンする。この処理は、所謂Wake ON LAN（登録商標）により実現される。管理者用ＰＣはマジックパケット（登録商標）を送信し、これを受信したネットワークインタフェースがＯＳ起動管理を行うプログラム（ＢＩＯＳ）にＯＳ起動を指示する。
ＰＣは、自身の電源オン処理（ＯＳ起動）を検出する。電源オン処理を検出した場合、接続されているディスプレイに電源オン制御情報を送信する。ディスプレイは、電源オン制御情報を受信すると自身の電源をオンする。これにより、管理者（管理用ＰＣのユーザ）は、多数同時に使用するディスプレイの電源を一括してオンすることが可能である。
【００２０】
請求項７に記載の発明は、情報処理装置に、該情報処理装置の電源オフ処理の開始を検出する電源オフ検出手順と、前記電源オフ検出手順において電源オフ処理の開始を検出したとき、該情報処理装置に接続される周辺機器に電源オフを指示する制御情報を送信する電源オフ制御情報送信手順と、を実行させることを特徴とする。
【００２１】
請求項８に記載の発明は、上記発明において、該情報処理装置の起動処理の開始を検出する起動検出手順と、前記起動処理の開始に伴い、該情報処理装置に接続される周辺機器に電源オンを指示する制御情報を送信する電源オン制御情報送信手順と、をさらに実行させることを特徴とする。
【００２２】
請求項９に記載の発明は、情報処理装置に接続される表示装置を含む周辺機器の電源管理を行う電源管理方法であって、前記情報処理装置が、該情報処理装置の電源オフ処理の開始を検出し、電源オフ処理の開始を検出したとき、前記周辺機器に電源オフを指示する制御情報を送信し、前記周辺機器が、前記制御情報を受信し、受信した電源オフを指示する制御情報に基づいて、該周辺機器の電源オフ処理を行うことを特徴とする。
【００２３】
請求項１０に記載の発明は、前記情報処理装置が、該情報処理装置の起動に伴って前記周辺機器に電源オンの制御情報を送信し、前記周辺機器が、受信した電源オンの制御情報に基づいて、該周辺機器の電源オン処理を行うことを特徴とする。
【００２４】
請求項１１に記載の発明は、ネットワークを介して管理用情報処理装置に接続される複数の情報処理装置にそれぞれ接続される表示装置を含む周辺機器の電源管理を行う電源管理方法であって、前記管理用情報処理装置が、各情報処理装置に電源オフを指示する情報を送信し、前記情報処理装置が、前記電源オフを指示する情報を受信し、受信した前記電源オフを指示する情報に基づいて、該情報処理装置の電源オフ処理を行い、該情報処理装置の電源オフ処理の開始を検出し、前記電源オフ処理の開始を検出したとき、該情報処理装置に接続されている前記周辺機器に電源オフを指示する制御情報を送信し、前記周辺機器が、前記制御情報を受信し、受信した電源オフを指示する制御情報に基づいて、該周辺機器の電源オフ処理を行うことを特徴とする。
【００２５】
請求項１２に記載の発明は、前記管理用情報処理装置が、各情報処理装置に電源オンを指示する情報を送信し、前記情報処理装置が、前記電源オンを指示する情報を受信し、受信した電源オンを指示する情報に基づいて該情報処理装置の起動管理を行う管理手段を起動させ、該情報処理装置の起動に伴って前記周辺機器に電源オンの制御情報を送信し、前記周辺機器が、受信した電源オンの制御情報に基づいて、該周辺機器の電源オン処理を行うことを特徴とする。
【発明の効果】
【００２６】
以上のように、この発明によれば、ＰＣが自身の電源オフ処理を検出した時に、接続しているディスプレイに電源オフ制御情報を送信するので、ＰＣの電源オフに連動してディスプレイの電源をオフすることができる。これにより、ユーザは、ディスプレイの電源ボタンを操作しなくとも、ＰＣの電源をオフするだけで、ディスプレイの電源をオフすることができる。
【００２７】
また、管理用ＰＣからＬＡＮ接続される各ＰＣに電源オフ指示情報を送信し、各ＰＣが自身の電源オフ処理を検出した時に、接続しているディスプレイに電源オフ制御情報を送信することで、多数同時に使用するディスプレイの電源を管理用ＰＣから一括してオフすることができる。また、ネットワークを介して管理用ＰＣから電源オフ指示情報を送信する構成であるため、専用の電源タップ等は必要でなく、コストをかけずに容易に実現できる。
【発明を実施するための最良の形態】
【００２８】
以下、本発明の実施形態の表示システムについて図を用いて詳細に説明する。
図１は、本発明の実施形態に係る表示システムの構成を示すブロック図である。この表示システムは、ＰＣ１、およびＰＣ１に接続されるディスプレイ２を備えている。
【００２９】
ＰＣ１は、ディスプレイ２とデータ送受信を行うインタフェース１１、ＰＣ１を統括的に制御する制御部１２、記憶部であるハードディスクドライブ（ＨＤＤ）１３、ユーザが操作を行う操作部１４、ワークメモリであるＲＡＭ１５、およびネットワークインターフェイス１６を備えている。制御部１２には、インタフェース１１、ＨＤＤ１３、操作部１４、ＲＡＭ１５、およびネットワークインタフェース１６が接続されている。インタフェース１１は、アナログ映像出力端子（Ｄ−ＳＵＢ）やデジタルＤＶＩ出力端子により構成される汎用の映像信号出力インタフェースである。
【００３０】
ＰＣ１は、ディスプレイ２とアナログ（ＲＧＢ）接続ケーブルやデジタル（ＤＶＩ）ケーブル等の汎用映像信号ケーブルで接続されている。ＰＣ１は、ディスプレイ２に画面表示のためのＰＣ映像信号とディスプレイ２を制御するための制御信号を送信する。制御信号は、ＶＥＳＡ（Ｖｉｄｅｏ  Ｅｌｅｃｔｒｏｎｉｃｓ  Ｓｔａｎｄａｒｄｓ  Ａｓｓｏｃｉａｔｉｏｎ）で定められた規格であるＤＤＣ／ＣＩ（Ｄｉｓｐｌａｙ  Ｄａｔａ  Ｃｈａｎｎｅｌ  Ｃｏｍｍａｎｄ  Ｉｎｔｅｒｆａｃｅ）によりコントロールコマンドとして送信する。
【００３１】
制御部１２は、ＣＰＵにより構成され、ＨＤＤ１３に記憶されている各種プログラムを読み出し、ＲＡＭ１５に展開して様々な動作を行う。
【００３２】
操作部１４は、マウスやキーボード等の入力機器により構成され、ユーザの操作に応じた操作信号を制御部１２に出力する。制御部１２は、この操作信号に基づいて種々の動作を行う。
【００３３】
ネットワークインターフェイス１６は、他のＰＣとＬＡＮ（ネットワーク）接続し、データ送受信を行う。他のＰＣとはＴＣＰ／ＩＰによりデータ送受信を行う。
【００３４】
ディスプレイ２は、ＰＣ用のディスプレイであり、例えばＬＣＤ、ＣＲＴ等により構成される。本実施形態においては、ＬＣＤにより構成されるディスプレイについて説明する。図１に示すように、このディスプレイ２は、ＰＣ１とデータ送受信を行うインタフェース２１、インタフェース２１を介してＰＣ１から受信した映像信号から画面表示の処理をする画像処理部２２、インタフェース２１を介してＰＣ１から受信した制御信号に基づいて種々の動作を行い、ディスプレイ２の各部を制御する制御部２３、記憶部であるＲＯＭ２４、ユーザが画面表示機能を変更する操作を行う操作部２５、画像処理部２２の制御により画面表示を行う液晶表示パネルである表示部２６、家庭内のコンセントからディスプレイ２に電源供給を行う電源ユニット２７、および液晶表示パネルを照らすバックライト２８を備えている。
【００３５】
インタフェース２１は、アナログ映像入力端子（Ｄ−ＳＵＢ）やデジタルＤＶＩ入力端子により構成される汎用の映像信号入力インタフェースである。
【００３６】
画像処理部２２には、インタフェース２１、制御部２３、および表示部２６が接続されている。画像処理部２２は、インタフェース２１を介してＰＣ１から受信した映像信号に基づいて、表示部２６の液晶パネルを駆動する。また、画像処理部２２は必要に応じてＡ／Ｄコンバータを内蔵しており、アナログ映像信号を受信した場合にデジタル信号に変換し、処理を行うものである。
【００３７】
制御部２３には、インタフェース２１、画像処理部２２、ＲＯＭ２４、操作部２５、電源ユニット２７、およびバックライト２８が接続されている。制御部２３はＲＡＭを内蔵したマイコンにより構成される。制御部２３は、ＲＯＭ２４に記憶されている各種設定を読み出し、内蔵するＲＡＭに展開して、接続されている画像処理部２２、電源ユニット２７、およびバックライト２８の制御を行う。
【００３８】
制御部２３は、ＲＡＭに展開した各種設定情報（コントラスト設定情報、色温度設定情報等）に応じて画像処理部２２の制御を行い、表示部２６の液晶パネルのコントラスト等を設定する。また、ＲＯＭ２４に記憶されているメッセージデータ（フォント、テキストデータ等）をＲＡＭに展開し、このメッセージデータを画像処理部２２に出力する。画像処理部２２は入力されたメッセージデータをＯＳＤ上に合成して表示部２６に表示する。これはディスプレイ２の表示部２６に表示されるＯＳＤメニュー等である。
【００３９】
同様に制御部２３は、ＲＡＭに展開した輝度設定情報に応じてバックライト２８の輝度を設定する。バックライト２８は、設定された輝度で液晶パネルを照らす。このようにして制御部２３は、ディスプレイ２の画面表示機能のコントロールを行う。また、制御部２３は、電源ユニット２７を制御してディスプレイ２の電源オン／オフをする。なお、本実施形態で言う電源オフとは、ディスプレイ２の電源供給を完全に遮断すること（例えば電源コンセントを抜いて電源供給を遮断すること）ではなく、バックライト２８の消灯、表示部２６の駆動停止等を意味する。詳細は後述するが、制御部２３が電源ユニット２７を制御するための電源供給はされているものである。無論、この状態であれば、電源オン状態、サスペンド状態（バックライトは消灯しているが、映像信号が入力されると再びバックライトを点灯する状態）よりも消費電力が小さい。
【００４０】
操作部２５は、ユーザが画面表示機能を変更する操作等を行うものであり、ユーザの操作に応じて操作情報を制御部２３に入力する。制御部２３は、操作部２５から入力されるユーザの操作情報に応じてＲＡＭの情報を書き換える。制御部２３は、書き換えたＲＡＭの内容で画像処理部２２、電源ユニット２７、およびバックライト２８の制御を行う。例えば、ユーザが電源オン／オフを指示する操作を行う（電源ボタンを押す）と、制御部２３が電源ユニット２７を制御してディスプレイ２の電源をオン／オフする。
【００４１】
次に、ＰＣ１が送信する制御信号に応じてディスプレイ２が動作する場合について説明する。
制御部２３は、インタフェース２１を介してＰＣ１が送信する制御信号（ＤＤＣ／ＣＩ）に基づいて、接続されている画像処理部２２、電源ユニット２７、およびバックライト２８の制御を行う。ＰＣ１は、ＨＤＤ１３に、このような制御信号を送信するためのソフトウェア（アプリケーション）を内蔵している。このアプリケーションはＰＣ１のＯＳ（Operating System）上で動作する。ＰＣ１のユーザは、このアプリケーションを操作し、輝度変更、コントラスト変更等を指示する。ＰＣ１は、アプリケーションの操作に応じて、ディスプレイ２に制御信号を送信する。
【００４２】
制御部２３は、ＰＣ１から受信した制御信号に基づいてＲＡＭに展開している情報を書き換える。例えば、ＰＣ１からコントラスト設定、輝度設定情報を変更するように制御信号が送信された場合、これに応じてＲＡＭに展開しているコントラスト設定情報、輝度設定情報を書き換える。この書き換えたＲＡＭの設定情報（コントラスト設定、輝度設定等）に応じて画像処理部２２の制御を行い、表示部２６の液晶パネルのコントラスト、バックライト２８の輝度等を設定する。なお、変更したＲＡＭの内容は、ＲＯＭ２４に出力して保存することもできる。つまり、ＲＯＭ２４は書き換え可能なＥＥＰＲＯＭ等で構成される。このようにしてＰＣ１は、ＤＤＣ／ＣＩによる制御信号を送信して、ディスプレイ２の画面表示機能のコントロールを行うことができる。
【００４３】
ここで、本実施形態のＰＣ１は、上記のアプリケーションとは別に、ディスプレイ２の電源をオン／オフする制御信号を送信するためのプログラムをＨＤＤ１３に内蔵している。このプログラムは、所謂サービスプログラムで構成される。サービスプログラムは、通常のアプリケーションと異なり、ＯＳのレジストリに登録されていれば、ＯＳへのログオン／ログオフに関係なく、ＰＣの起動時（ＯＳの起動時）に常に実行されるプログラムである。
【００４４】
ユーザがＰＣ１の電源をオンする（ＯＳを起動する）と、上記サービスプログラムが実行され、ＰＣ１からディスプレイ２に電源オンの制御信号が送信される。この制御信号もＤＤＣ／ＣＩに基づくものである。ディスプレイ２の制御部２３は、この制御信号を受信すると、電源ユニット２７を制御してディスプレイ２の電源をオンする。また、このプログラムは、ＯＳの電源オフ処理（ＯＳシャットダウン）を検出するものであり、この場合に制御部１２は、ディスプレイ２に電源オフ信号を送信する。ユーザがＰＣ１の電源をオフする（ＯＳシャットダウン処理を指示する）と、ＰＣ１からディスプレイ２に電源オフ制御信号が送信される。ディスプレイ２の制御部２３は、この制御信号を受信すると、電源ユニット２７を制御してディスプレイ２の電源をオフする。なお、ディスプレイ２は、電源ユニット２７が電源オフ状態であっても、制御部２３がＰＣ１からの制御信号を受信し、電源ユニット２７を制御できるだけの電力供給はされている。制御部２３は、電源ユニット２７が電源オフ状態であっても、ＰＣ１から電源オン制御信号を受信した場合に電源ユニット２７の電源をオン状態にすることができる。
【００４５】
以上のようにして、ユーザは、ディスプレイ２の操作部２５（電源ボタン）を操作しなくとも、ＰＣの電源をオン／オフするだけで、ディスプレイの電源をオン／オフすることができる。
【００４６】
次に、表示システムの動作について詳細に説明する。図２は、ＰＣ１の制御部１２の電源オン／オフ動作を示すフローチャートである。ユーザがＰＣ１の電源をオンすると、この動作を開始する。まず、制御部１２は、ＨＤＤ１３に格納されているＯＳを起動する（ｓ１１）。ＯＳを起動すると、制御部１２は、上述したサービスプログラムを実行し、ディスプレイ２に電源オンの制御信号を送信する（ｓ１２）。ディスプレイ２の制御部２３は、電源オンの制御信号を受信すると電源ユニット２７の電源をオンにする。これによりＰＣの電源をオンするとディスプレイの電源もオンされる。
【００４７】
ＰＣ１の制御部１２は、ユーザの電源オフ操作によりＯＳがシャットダウンされようとしているか否かを判断する（ｓ１３）。この判断は、ログオフ状態においてなされ、上述したように、ＯＳの電源オフ命令を検出する判断である。電源オフ命令を検出した場合は、ディスプレイ２に電源オフの制御信号を送信する（ｓ１７）。ディスプレイ２の制御部２３は、電源オフの制御信号を受信すると、電源ユニット２７の電源をオフにする。一方、制御部１２は、ｓ１３でシャットダウンを検出しなければ、ログオン要求がされたか否かを判断する（ｓ１４）。ログオン要求が有ればログオン処理を行う（ｓ１５）。ログオンは、ＰＣ１がユーザを認証する処理であり、認証したユーザ毎に応じたＰＣ使用環境（使用できるアプリケーション等）を設定する。ｓ１４でログオン要求が無ければｓ１３のシャットダウン検出処理を繰り返す（ｓ１４→ｓ１３）。
【００４８】
ｓ１５でログオン処理を行うと、ユーザがＰＣ１を使用できる（アプリケーション等を使用できる）環境となる。制御部１２は、この状態においてもシャットダウン検出を行う（ｓ１６）。シャットダウンを検出するまでこの判断を繰り返す。シャットダウンを検出した場合はディスプレイ２に電源オフの制御信号を送信する（ｓ１７）。ディスプレイ２の制御部２３は、電源オフの制御信号を受信すると、電源ユニット２７の電源をオフにする。
【００４９】
制御部１２は、ディスプレイに電源オフの制御信号を送信した後に、ＰＣ１の電源オフ処理を行う（ｓ１８）。このようにして、ＰＣ１の電源オフに連動してディスプレイ２の電源をオフすることができる。
【００５０】
以上の説明は、ユーザがＰＣの電源をオフすると、接続されているディスプレイの電源がオフされる例について説明したが、ＰＣ１内蔵のアプリケーションを操作して、ネットワーク接続されているＰＣの全ディスプレイを一括して電源オフすることもできる。管理用ＰＣが全ての端末ＰＣに制御指示を行うことで全ＰＣのディスプレイを一括して電源オフする指示を行う。
【００５１】
図３に複数のＰＣとこれらに接続される管理用ＰＣとからなるネットワークシステムを示す。このネットワークシステムは、管理用ＰＣ５０と、管理用ＰＣ５０に汎用映像信号ケーブルで接続されるディスプレイ５１と、管理用ＰＣ５０にＬＡＮ５２を介して接続される複数の端末ＰＣ５３と、各端末ＰＣ５３に汎用映像信号ケーブルで接続される複数のディスプレイ５４と、からなる。ＬＡＮ５２は、有線であってもよいし、無線であってもよい。管理用ＰＣ５０と各端末ＰＣ５３はＴＣＰ／ＩＰによりデータ送受信を行う。管理用ＰＣ５０、および各端末ＰＣ５３は、図１で示したＰＣ１と同様の構成である。また、ディスプレイ５１、および各ディスプレイ５４も図１で示したディスプレイ２と同様の構成である。
【００５２】
図３において、管理用ＰＣ５０は、ネットワークを介して接続している各端末ＰＣ５３に対して電源オン／オフを行うよう指示するデータを送信することができる。電源オン指示は、所謂WAKE ON LAN（登録商標）により実現される。管理用ＰＣ５０は、各端末ＰＣ５３にマジックパケット（登録商標）を送信する。マジックパケット（登録商標）を受信した各端末ＰＣ５３のネットワークインターフェイス１６は、ＢＩＯＳ（BasicInput/Output System）に電源オン信号を供給する。ＢＩＯＳはこれによりＯＳを起動（ＰＣの電源がオン）する。管理用ＰＣ５０のユーザ（管理者）は、管理用ＰＣ５０にインストールされているアプリケーションを操作し、各端末ＰＣ５３にマジックパケット（登録商標）を送信することができる。同様に、管理者は、当該アプリケーションを操作して各端末ＰＣ５３の電源オフ指示を行うことができる。電源オフ指示を受信した各端末ＰＣ５３のＯＳは、シャットダウンを行う。
【００５３】
各端末ＰＣ５３は、図２で示した動作を行うためのプログラム（サービスプログラム）をＨＤＤに内蔵している。よって、管理用ＰＣ５０からマジックパケット（登録商標）を受信した場合、自身のＰＣ電源をオンするため、図２の動作が実行され、接続されているディスプレイ５４の電源をオンする。同様に、管理用ＰＣ５０から電源オフ指示を受信した場合、接続されているディスプレイ５４の電源をオフする。このように、管理用ＰＣ５０は、各端末ＰＣ５３を経由して全てのディスプレイ５４の電源をオン／オフすることができる。なお、各ディスプレイ毎に個別に電源オン／オフすることも可能である。
【００５４】
以上のようにして、本実施形態の表示システムは、ディスプレイを接続しているＰＣがＯＳ起動時／シャットダウン時に、電源オン／オフ制御信号を送信するので、ＰＣの電源オン／オフに連動してディスプレイの電源オン／オフを行うことができる。また、各端末ＰＣを管理する管理用ＰＣから一括して全てのディスプレイの電源オフをすることができる。管理用ＰＣから一括してディスプレイの電源をオフにすることができるので、各ディスプレイの前面等に設けた電源ボタンから電源オフをする必要がなくなり、管理者が１台ずつ電源オフをする必要がない。
なお、本実施形態では映像信号ケーブルを用いてＤＤＣ／ＣＩ規格に準拠したコマンド送受信によりＰＣが制御信号を送信する例を示したが、これに限るものではない。例えばＵＳＢや専用のインタフェースを用いて、制御信号を送信するようにしてもよい。無論、ディスプレイとしてはＬＣＤに限るものではなく、ＣＲＴやプロジェクタ等の他のディスプレイであってもよい。
【００５５】
また、ディスプレイの電源オン／オフに限らず、ＰＣに接続される周辺機器であれば、本発明を適用し、ＰＣの電源オン／オフに連動して周辺機器の電源オン／オフを行うことが可能である。
【図面の簡単な説明】
【００５６】
【図１】本発明の表示システムの構成を示すブロック図
【図２】ディスプレイ電源オン／オフの動作を示すフローチャート
【図３】複数のＰＣとこれらに接続される管理用ＰＣとからなるネットワークシステムを示す図
【符号の説明】
【００５７】
１−ＰＣ
２−ディスプレイ
１１−（ＰＣの）インタフェース
１２−（ＰＣの）制御部
１３−ＨＤＤ
１４−（ＰＣの）操作部
１５−ＲＡＭ
２１−（ディスプレイの）インタフェース
２２−画像処理部
２３−（ディスプレイの）制御部
２４−ＲＯＭ
２５−（ディスプレイの）操作部
２６−表示部
２７−電源ユニット
２８−バックライト
【図１】
2007233954.tif 000003
【図２】
2007233954.tif 000004
【図３】
2007233954.tif 000005